(57)【要約】【課題】本発明は、水洗便器のリム通水路内に残留する残留洗浄水の射水孔からの排出を促して長期間の残留を防止し、凍結や結露を防止し、カビの発生も防止することをその課題とするものである。【解決手段】本発明に係る水洗便器の構造は、ボウル部５の上端縁周囲にリム通水路２を形成し、該リム通水路２に洗浄水の給水管を接続すると共に前記ボウル部５側に開口する複数の射水孔３を形成してなる水洗便器において、前記リム通水路２の底部壁６に互いに連通する網目状通水溝４を形成し、該網目状通水溝４の少なくとも一つの溝が射水孔３に開口してなることを特徴とするものである。【選択図】図３
2007315010.tif 000002
【特許請求の範囲】
【請求項１】
ボウル部の上端縁周囲にリム通水路を形成し、該リム通水路に洗浄水の給水管を接続すると共に前記ボウル部側に開口する複数の射水孔を形成してなる水洗便器において、前記リム通水路の底部壁に互いに連通する網目状通水溝を形成し、該網目状通水溝の少なくとも一つの溝が射水孔に開口してなることを特徴とする水洗便器。
【請求項２】
リム通水路の底部壁を通水方向に向かう谷状部とし、該谷状部底に射水孔を形成すると共に谷状部表面に互いに連通する網目状通水溝を形成してなることを特徴とする請求項１記載の水洗便器。
【発明の詳細な説明】
【技術分野】
【０００１】
本発明は、ボウル部の上端縁周囲にリム通水路を形成し、該リム通水路に洗浄水の給水管を接続すると共に前記ボウル部側に開口する複数の射水孔を形成し、リム通水路の射水孔からの洗浄水の放出によりボウル部の洗浄を行う水洗便器に係るものであって、洗浄後にリム通水路内に洗浄水が長時間残る恐れが少ない水洗便器に関するものである。さらに詳細に述べれば、リム通水路の底部壁に互いに連通する網目状通水溝を形成し、該網目状通水溝の少なくとも一つの溝が射水孔に開口してなる水洗便器に関するものである。
【背景技術】
【０００２】
水洗便器はボウル部の上端縁周囲にリム通水路を形成し、該リム通水路に洗浄水の給水管を接続すると共に前記ボウル部側に開口する複数の射水孔を形成し、リム通水路の射水孔からの洗浄水の放出によりボウル部の洗浄を行うものであり、衛生的に優れたものである。しかし、洗浄水を使用するために、洗浄水がリム通水路内に残留することがあり、この残留洗浄水により冬季は凍結したり結露したり、又、カビの発生の原因になることもあった。
【０００３】
このために洗浄後にリム通水路内に洗浄水が残留する恐れが少ない水洗便器が要望され、例えば、特許文献１に示す水洗便器が提案されている。即ち、リム通水路を底面Ｖ字状の形状（谷状部）にすることにより洗浄水の排出を促すものである。しかしながら、この従来の水洗便器では、残留洗浄水が底面の全体に薄い膜状（濡れた状態）となって残るのを防ぐには充分なものでなく、凍結や結露が生じやすくカビの発生の原因となるものであった。
【特許文献１】実開平７−８４７５号公報  （要約及び図５）
【発明の開示】
【発明が解決しようとする課題】
【０００４】
本発明は、水洗便器のリム通水路内に残留する残留洗浄水の射水孔からの排出を促して長時間の残留を防止し、凍結や結露、カビの発生も防ぐことをその課題とするものである。
【課題を解決するための手段】
【０００５】
上記課題を解決するために、本発明に係る水洗便器の構造は、請求項１に記載した如く、ボウル部の上端縁周囲にリム通水路を形成し、該リム通水路に洗浄水の給水管を接続すると共に前記ボウル部側に開口する複数の射水孔を形成してなる水洗便器において、前記リム通水路底部壁に互いに連通する網目状通水溝を形成し、該網目状通水溝の少なくとも一つの溝が射水孔に開口してなることを特徴とするものである。
【発明の効果】
【０００６】
請求項１に記載の水洗便器は、ボウル部の上端縁周囲にリム通水路を形成し、該リム通水路に洗浄水の給水管を接続すると共に前記ボウル部側に開口する複数の射水孔を形成してなる水洗便器において、前記リム通水路底部壁に互いに連通する網目状通水溝を形成し、該網目状通水溝の少なくとも一つの溝が射水孔に開口してなるために、その射水孔に開口した網目状通水溝より残留洗浄水が排水され網目状通水溝内の他の残留洗浄水に射水孔方向への吸引力が働き、残留洗浄水は順次射水孔より排出される。このために、薄い膜状となって残留する残留洗浄水も順次網目状通水溝内に入り排出されて長時間の残留が防止されるのである。
【０００７】
請求項２に記載の水洗便器は、リム通水路底部壁を通水方向に向かう谷状部とし、該谷状部底に射水孔を形成すると共に谷状部表面に互いに連通する網目状通水溝を形成してなることを特徴とする請求項１記載の水洗便器であるために、射水孔方向に残留洗浄水が移動しやすく網目状通水溝による射水孔からの排水が更に効率的に行われるものである。
【発明を実施するための最良の形態】
【０００８】
以下、本発明の実施形態について、図面を参照して詳細に説明する。図１は本発明の実施例である水洗便器の一部切り欠き平面図、図２は図１に示す実施例の断面図、図３は図１に示す実施例の要部拡大図、図４は図１に示す実施例の要部拡大断面図、図５は本発明の異なった実施例の要部拡大図である。
【０００９】
図１及び図２において、１は水洗便器、２はリム通水路、３は射水孔、４は網目状通水溝である。水洗便器１はボウル部５の上端縁周囲にリム通水路２を形成し、このリム通水路２に洗浄水の給水管（図示せず）を接続し、射水孔３より洗浄水を射水してボウル部５の表面を洗浄するものである。
【００１０】
図３、図４に示す如く、網目状通水溝４はリム通水路２の底部壁６に形成されており、互いに連通しているものである。即ち、互いに独立したものでなく繋がったものであり、而も網目状に形成されているものである。そしてこの網目状通水溝４は少なくとも一つの溝７が射水孔３に開口しているものである。
【００１１】
このリム通水路２に洗浄水の給水管を接続し、射水孔３より洗浄水を射水してボウル部５の表面を洗浄するとリム通水路２の底部壁６上に膜状に残留洗浄水が長時間残る場合が多い。この水洗便器１ではリム通水路２の底部壁６に網目状通水溝４が形成され、少なくとも一つの溝７が射水孔３に開口しているために、射水孔３に開口した溝７より射水孔３に残留洗浄水が流れ落ちる。
【００１２】
溝７は網目状通水溝４を構成するものであり、互いに連通したものであるために毛細管現象の作用もあって網目状通水溝４を通って射水孔３方向に引かれ、順次溝７より射水孔３に残留洗浄水が流れ落ちる。網目状通水溝４内の残留洗浄水が減少していくと底部壁６上の膜状に残留洗浄水が網目状通水溝４内落ち、順次、溝７より射水孔３に残留洗浄水が流れ落ち、射水孔３からの排水が促進される。このために、残留洗浄水が長時間、リム通水路２内に残留する恐れは少なく、結露や凍結、カビの発生の恐れが少ないものである。
【００１３】
図５に示す水洗便器８において、９はリム通水路、１０は底部壁、１１は谷状部底、１２は射水孔、１３は網目状通水溝である。この水洗便器８ではリム通水路９の底部壁１０が通水方向に向かう谷状部に形成されており、谷状部底１１に射水孔１２が形成されている。複数の網目状通水溝１３は互いに連通した状態でリム通水路９の底部壁１０に形成されており、少なくとも一つの網目状通水溝１３が射水孔１２に開口している。
【００１４】
この水洗便器８においては、リム通水路９の底部壁１０が通水方向に向かう谷状部に形成されているために、谷状部底１１に残留洗浄水が集まりやすく網目状通水溝１３を通じて更に効率よく残留洗浄水を射水孔１２より排出し、長時間の残留を防止するものである。このために、この水洗便器８においても結露や凍結、カビの発生の恐れが少ないものである。
【図面の簡単な説明】
【００１５】
【図１】本発明にかかる水洗便器の実施例の一部切欠平面図。
【図２】図１に示す実施例の断面図。
【図３】図１に示す実施例の要部拡大図。
【図４】図１に示す実施例における要部拡大断面図。
【図５】本発明の異なった実施例の要部拡大図。
【符号の説明】
【００１６】
１、８    水洗便器
２、９    リム通水路
３、１２  射水孔
４、１３  網目状通水溝
５        ボウル部
６、１０  底部壁
７        溝
１１      谷状部底
【図１】
2007315010.tif 000003
【図２】
2007315010.tif 000004
【図３】
2007315010.tif 000005
【図４】
2007315010.tif 000006
【図５】
2007315010.tif 000007